(57)【要約】      （修正有）【課題】不要な部材が省略され、且つ位置決め溝により形鉄骨梁に対する傾斜角の調整が可能になる形鋼支持材を提供する。【解決手段】形鋼支持材は、縦柱２０及び対向し合う２枚の立設片２４を有し、２枚の立設片は縦柱の上端に一体に連接されると共に互いに所定の間隔が空けられ、縦柱の上端と２枚の立設片の内側面との間に位置決め溝が形成される。位置決め溝の作用によりソーラーパネルモジュールの支持に用いられる形鉄骨梁が高速に定位装設される。【選択図】図１
0003219742.tif 000002
【実用新案登録請求の範囲】
【請求項１】
縦柱と、
２枚の立設片であって、前記縦柱の上端に一体に連接されると共に互いに所定の間隔が空けられ、前記２枚の立設片の内側面と前記縦柱の上端との間には位置決め溝が形成される対向し合うこととを備えることを特徴とする形鋼支持材。
【請求項２】
前記縦柱は中実の円柱体であり、前記２枚の立設片の間の間隔は前記縦柱の直径より小さいことを特徴とする請求項１に記載の形鋼支持材。
【請求項３】
前記縦柱の上端には対向し合う２つのテーパ部を有し、前記２枚の立設片は前記テーパ部にそれぞれ一体に連接されることを特徴とする請求項２に記載の形鋼支持材。
【請求項４】
各前記立設片は長孔を有し、前記長孔の長軸方向は前記縦柱の軸方向に垂直になることを特徴とする請求項１乃至３の何れか１項に記載の形鋼支持材。
【請求項５】
前記位置決め溝に内設されると共に何れか１枚の前記立設片と共に固定される補強板を更に備えることを特徴とする請求項１乃至３の何れか１項に記載の形鋼支持材。
【請求項６】
前記補強板の上縁及び底縁には位置決め部をそれぞれ有することを特徴とする請求項５に記載の形鋼支持材。
【考案の詳細な説明】
【技術分野】
【０００１】
本考案は、ソーラーパネルに関し、より詳しくは、形鋼支持材に関する。
【背景技術】
【０００２】
よく知られているように、太陽光発電システムは主にソーラーパネルモジュールにより吸収される太陽光が電気エネルギーに変換された後に蓄電されて使用される。そして、太陽光発電システムではソーラーパネルモを架設させるために広い空間が必要であり、空間を効率的に利用する目的を達成させるため、従来はソーラーパネルモジュールを既存の建築物の屋根、室外の地面、または道路の側に架設させることで解決を図っている。
【考案の概要】
【考案が解決しようとする課題】
【０００３】
しかしながら、従来のソーラーパネルモジュールの架設過程において、一般的にはソーラーパネルのを支持させる鋼部材（例えば、鉄骨梁と鉄骨柱の組み合わせ）を固定させるには非常に多くの部材が必要であり、定位させるのも容易ではなく、装設が面倒であるという問題があるほか、架設過程で実際の需要に応じてソーラーパネルの左右の偏心回転角度を調整することができないため、その後の使用において不便が生じた。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、形鋼支持材を提供することを目的とする。すなわち、形鉄骨梁を高速に定位装設させ、且つ前記形鉄骨梁の傾斜角を調整しやすくする。
【課題を解決するための手段】
【０００６】
上述した課題を解決し、目的を達成するために、本考案に係る形鋼支持材の特徴は、縦柱及び対向し合う２枚の立設片を備える。前記２枚の立設片は前記縦柱の上端に一体に連接されると共に互いに所定の間隔が空けられ、前記縦柱の上端と前記２枚の立設片の内側面との間には位置決め溝が形成される。前記位置決め溝の機能によりソーラーパネルモジュールの支持に用いられる形鉄骨梁が高速地に定位装設される。これにより、不要な部材が省略され、且つ前記形鉄骨梁に対する傾斜角の調整が便利になり、前記ソーラーパネルモジュールの角度も連動して調整される効果を達成させる。
【０００７】
好ましくは、前記縦柱は中実の円柱体であり、前記２枚の立設片の間の間隔は前記縦柱の直径より小さい。より詳しくは、前記縦柱の上端には対向し合う２つのテーパ部を有し、前記２枚の立設片は前記縦柱の前記テーパ部にそれぞれ一体に連接される。
【０００８】
好ましくは、各前記立設片は前記形鉄骨梁の位置の微調整に用いられる長孔を有し、前記長孔の長軸方向は前記縦柱の軸方向に垂直になる。
【０００９】
好ましくは、前記位置決め溝には補強板が内設され、前記補強板は何れか１枚の前記立設片と共に固定され、全体的な構造強度が高まる。また、前記補強板の上縁及び底縁には位置決め部をそれぞれ有し、前記２つの位置決め部は前記形鉄骨梁の上面及び底面にそれぞれ当接され、前記形鉄骨梁の定位効果が高まる。
【図面の簡単な説明】
【００１０】
【図１】本考案の第１実施形態に係る形鋼支持材を示す外観斜視図である。
【図２】本考案の第１実施形態に係る形鋼支持材を示す側面図である。
【図３】本考案の第１実施形態に係る形鋼支持材が形鉄骨梁を合わせて使用される一部の分解斜視図である。
【図４】本考案の第１実施形態に係る形鋼支持材が形鉄骨梁を合わせて使用される一部の組み合わせ斜視図である。
【図５】本考案の第２実施形態に係る形鋼支持材が形鉄骨梁を合わせて使用される分解斜視図である。
【図６】本考案の第２実施形態に係る形鋼支持材が形鉄骨梁を合わせて使用される組み合わせ斜視図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
［第１実施例］
次に、図１〜６を参照しながら、本考案をさらに詳しく説明する。まず、本考案の第１実施形態の構成を図１から図４に示す。本考案の形鋼支持材１０は、縦柱２０及び２枚の立設片２４を備える（図１及び図２参照）。
【００１３】
縦柱２０は本実施形態では中実の円柱体である。縦柱２０の上端には対向し合う２つのテーパ部２２を有し、縦柱２０の底端は建築物の屋根または屋外の地面に固定させるために用いられる。
【００１４】
前記２枚の立設片２４は縦柱２０のテーパ部２２の上端に一体に連接されると共に互いに所定の間隔が空けられ、前記２枚の立設片２４の内側面と縦柱２０の上端との間には位置決め溝２８が形成される。また、前記２枚の立設片２４の間の間隔は縦柱２０の直径より小さい。前記２枚の立設片２４は長孔２６をそれぞれ有し、長孔２６の長軸方向は縦柱２０の軸方向に垂直になる。
【００１５】
実際の使用において、図３及び図４に示されるように、先ず形鉄骨梁３０が位置決め溝２８に貫設され、形鉄骨梁３０の上面はソーラーパネルモジュール（図示省略）と共に固定される。形鉄骨梁３０の底面は縦柱２０の上端に当接され、形鉄骨梁３０の対応し合う左右の側面は前記２枚の立設片２４により制限される。次に、ボルト３４が前記２枚の立設片２４の長孔２６、形鉄骨梁３０の貫通孔３２、及びワッシャー３６を貫通させた後、ナット３８により螺合され、形鉄骨梁３０の定位装設が完成する。また、ナット３８が緩められた後には、長孔２６により形鉄骨梁３０の位置を微調整可能になる以外、形鉄骨梁３０の傾斜角も更に調整可能になり、適度な位置に調整させた後にナット３８を締めて固定させる。
【００１６】
［第２実施形態］
本考案の第２実施形態の構成を図５及び図６に示す。本考案は補強板４０が更に提供されて全体的な構造強度が更に強化される（図５及び図６参照）。補強板４０は位置決め溝２８に内設されると共にボルト３４を貫通させるための固定孔４２を有し、補強板４０は何れか１枚の立設片２４と共に固定される。また、補強板４０の上縁及び底縁には位置決め部４４をそれぞれ有し、前記２つの位置決め部４４は形鉄骨梁３０の上面及び底面にそれぞれ当接され、形鉄骨梁３０の定位効果が向上する。
【００１７】
総合すると、本考案の形鋼支持材１０は縦柱２０及び前記２枚の立設片２４により形成される溝型構造により形鉄骨梁３０が高速に定位装設され、これにより不要な部材が省略され、後続の螺合の利便性が高まる。また、実際の需要に応じて形鉄骨梁３０の傾斜角を調整可能であり、形鉄骨梁３０に装設されるソーラーパネルモジュールが共に同期で角度を調整される効果を達成させる。
【００１８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１０  形鋼支持材
２０  縦柱
２２  テーパ部
２４  立設片
２６  長孔
２８  位置決め溝
３０  形鉄骨梁
３２  貫通孔
３４  ボルト
３６  ワッシャー
３８  ナット
４０  補強板
４２  固定孔
４４  位置決め部
【図１】
0003219742.tif 000003
【図２】
0003219742.tif 000004
【図３】
0003219742.tif 000005
【図４】
0003219742.tif 000006
【図５】
0003219742.tif 000007
【図６】
0003219742.tif 000008
【手続補正書】
【提出日】平成30年11月14日(2018.11.14)
【手続補正１】
【補正対象書類名】実用新案登録請求の範囲
【補正対象項目名】全文
【補正方法】変更
【補正の内容】
【実用新案登録請求の範囲】
【請求項１】
縦柱と、
２枚の立設片であって、前記縦柱の上端に一体に連接されると共に互いに所定の間隔が空けられ、前記２枚の立設片の内側面と前記縦柱の上端との間には位置決め溝が形成される、対向し合う２枚の立設片とを備えることを特徴とする形鋼支持材。
【請求項２】
前記縦柱は中実の円柱体であり、前記２枚の立設片の間の間隔は前記縦柱の直径より小さいことを特徴とする請求項１に記載の形鋼支持材。
【請求項３】
前記縦柱の上端には対向し合う２つのテーパ部を有し、前記２枚の立設片は前記テーパ部にそれぞれ一体に連接されることを特徴とする請求項２に記載の形鋼支持材。
【請求項４】
各前記立設片は長孔を有し、前記長孔の長軸方向は前記縦柱の軸方向に垂直になることを特徴とする請求項１乃至３の何れか１項に記載の形鋼支持材。
【請求項５】
前記位置決め溝に内設されると共に何れか１枚の前記立設片と共に固定される補強板を更に備えることを特徴とする請求項１乃至３の何れか１項に記載の形鋼支持材。
【請求項６】
前記補強板の上縁及び底縁には位置決め部をそれぞれ有することを特徴とする請求項５に記載の形鋼支持材。